(57)【要約】【課題】  音質優先モードが選択される際に、ＤＶＤプレーヤから送信されるコンテンツデータに映像データが含まれる場合でも、再生される音声データの音質を向上すること。【解決手段】    ＡＶアンプ２０は、音質優先モードが設定されると、音声データのフォーマットを判別し、判別したフォーマットに対応するＨＤＭＩデータを送信可能な最低のピクセルクロック周波数をピクセルクロックテーブルから読み出し、当該ピクセルクロック周波数に対応する解像度でコンテンツ送信装置にコンテンツデータを送信させる。ＨＤＭＩデータを送信する場合、映像データのピクセルクロック周波数が大きいほど、音声データの音質を劣化させる。従って、ピクセルクロック周波数を最低値にすることによって、音声データの音質劣化を抑制することができる。【選択図】図５
2009260441.tif 000002
【特許請求の範囲】
【請求項１】
映像データ及び音声データを含むコンテンツデータを送信するコンテンツ送信装置に接続可能であり、
前記コンテンツデータを受信する受信手段と、
音質優先モードを含む複数の音声モードの中からユーザ操作に応じて１つの音声モードを設定する音声モード設定手段と、
前記コンテンツデータに含まれる音声データに、前記音声モード設定手段によって設定された音声モードに対応する音声処理を実行する音声処理手段と、
前記音声モード設定手段によって音質優先モードが設定された場合に、前記コンテンツデータを送信可能な最低のピクセルクロック周波数で前記コンテンツ送信装置に前記コンテンツデータを送信させる送信制御手段とを備える、コンテンツ受信装置。
【請求項２】
前記音声モード設定手段によって音質優先モードが設定された場合に、前記送信制御手段が、前記コンテンツデータを送信可能な最低のピクセルクロック周波数に対応する解像度で、前記コンテンツ送信装置に前記コンテンツデータを送信させる、請求項１に記載のコンテンツ受信装置。
【請求項３】
前記コンテンツデータに含まれる音声データの各フォーマットに対応付けて、前記コンテンツデータを送信可能なピクセルクロック周波数が予め登録されている記憶部と、
前記受信手段が受信したコンテンツデータに含まれる音声データのフォーマットを判別するフォーマット判別手段とをさらに備え、
前記送信制御手段が、前記フォーマット判別手段で判別されたフォーマットに対応するピクセルクロック周波数のうち最低のピクセルクロック周波数を前記記憶部から読み出して、最低のピクセルクロック周波数に対応する解像度で、前記コンテンツ送信装置に前記コンテンツデータを送信させる、請求項２に記載のコンテンツ受信装置。
【請求項４】
前記コンテンツ送信装置の機器情報に対応付けて解像度自動設定を許可するか否かをユーザ操作に応じて設定する設定手段をさらに備え、
前記解像度自動設定が許可されている場合に、前記送信制御手段が、前記コンテンツデータを送信可能な最低のピクセルクロック周波数に対応する解像度で、前記コンテンツ送信装置に前記コンテンツデータを送信させる、請求項３に記載のコンテンツ受信装置。
【請求項５】
前記送信制御手段が、前記コンテンツデータを送信可能な最低のピクセルクロック周波数に対応する解像度で、前記コンテンツ送信装置に前記コンテンツデータを送信させた結果、前記フォーマット判別手段が音声データのフォーマットが変更されたと判断した場合、前記設定手段が、解像度自動設定を自動的に不許可にする、または、解像度自動設定を不許可にするか否かをユーザに告知する、請求項４に記載のコンテンツ受信装置。
【請求項６】
前記コンテンツ送信装置が、上位ｍビットのみの映像データを含むコンテンツデータと、上位ｍビット及び下位ｎビットの映像データを含むコンテンツデータとのどちらを送信するかを切換可能であり、
前記音声モード設定手段によって音質優先モードが設定された場合に、前記送信制御手段が、上位ｍビットのみの映像データを含むコンテンツデータを前記コンテンツ送信装置に送信させる、請求項１に記載のコンテンツ受信装置。
【請求項７】
前記コンテンツ送信装置および前記コンテンツ受信装置がＨＤＭＩ規格又はＤＶＩ規格に準拠しており、
前記音声モード設定手段によって音質優先モードが設定された場合に、前記送信制御手段が、前記コンテンツ送信装置にＴＭＤＳクロック周波数を低下させる、請求項１に記載のコンテンツ受信装置。
【請求項８】
映像データ及び音声データを含むコンテンツデータを送信するコンテンツ送信装置に接続可能であり、
前記コンテンツデータを受信する受信手段と、
音質優先モードを含む複数の音声モードの中からユーザ操作に応じて１つの音声モードを設定する音声モード設定手段と、
前記コンテンツデータに含まれる音声データに、前記音声モード設定手段によって設定された音声モードに対応する音声処理を実行する音声処理手段と、
前記コンテンツ送信装置によって取得される、ピクセルクロック周波数に関連する設定値を記憶する設定値記憶部と、
前記音声モード設定手段によって音質優先モードが設定された場合に、前記コンテンツデータを送信可能な最低のピクセルクロック周波数に関連する設定値を前記設定値記憶部に登録する登録手段とを備える、コンテンツ受信装置。
【請求項９】
請求項１〜８のいずれかに記載のコンテンツ受信装置の各手段をコンピュータに実行させる、コンテンツ受信装置の動作プログラム。
【発明の詳細な説明】
【技術分野】
【０００１】
本発明は、コンテンツ送信装置から送信されるコンテンツデータを受信するコンテンツ受信装置に関する。
【背景技術】
【０００２】
ＨＤＭＩ（High Definition
Multimedia Interface）規格に準拠した、ＤＶＤプレーヤ、ＡＶアンプおよびディスプレイ装置が、ＨＤＭＩケーブルを介して接続されるシステムが使用されている。ＤＶＤプレーヤは、ＤＶＤディスクから映像データ及び音声データを再生し、再生された映像データ及び音声データをＡＶアンプに供給する。ＡＶアンプは、受信した音声データに音声処理を実行しスピーカーに出力すると共に、映像データをディスプレイ装置に出力する。ディスプレイ装置は、受信した映像データを表示する。
【０００３】
ＡＶアンプには複数の音声モード（例えばリスニングモードと呼ばれ、映画モード、ゲームモード、音楽モード等）が設けられており、ユーザ操作によって１つの音声モードが選択可能になっている。ＡＶアンプは、選択された音声モードに対して予め設定されている音声処理（遅延処理、音量調整処理、イコライザ処理等）を音声データに実行する。
【０００４】
また、リスニングモードの１つとして、音質優先モード（ピュアオーディオモードともいう。）が設けられている。音質優先モードは、例えばＤＶＤプレーヤでＣＤ等の映像データを含まないコンテンツが再生される際にユーザ操作によって選択され、映像処理部に供給される電源電圧をオフ状態にし、映像処理部の動作を停止させることによって、音声データの音質をより向上させるモードである。
【０００５】
ここで、ＨＤＭＩデータに含まれる音声データは映像データのブランキング期間に含まれており、音声データのみをＨＤＭＩデータとして送受信することができない。つまり、ＤＶＤプレーヤで映像データを含まないＣＤやＳＡＣＤ等のコンテンツが再生される場合には、ＨＤＭＩデータには映像データとしてメニュー画面（または無信号）等が含まれている。従って、音質優先モードにおいて映像処理部を電源オフ状態にしても、ＨＤＭＩデータに含まれる映像データの影響によって音声データの音質劣化（例えば、Ｓ／Ｎ比の悪化）につながるという問題がある。
【０００６】
【特許文献１】特開２００５−５７７１４号公報
【発明の開示】
【発明が解決しようとする課題】
【０００７】
本発明の目的は、音質優先モードが選択される際に、ＤＶＤプレーヤから送信されるコンテンツデータに映像データが含まれる場合でも、再生される音声データの音質を向上できるコンテンツ受信装置を提供することである。
【課題を解決するための手段】
【０００８】
本発明の好ましい実施形態によるコンテンツ受信装置は、映像データ及び音声データを含むコンテンツデータを送信するコンテンツ送信装置に接続可能であり、  前記コンテンツデータを受信する受信手段と、音質優先モードを含む複数の音声モードの中からユーザ操作に応じて１つの音声モードを設定する音声モード設定手段と、前記コンテンツデータに含まれる音声データに、前記音声モード設定手段によって設定された音声モードに対応する音声処理を実行する音声処理手段と、前記音声モード設定手段によって音質優先モードが設定された場合に、前記コンテンツデータを送信可能な最低のピクセルクロック周波数で前記コンテンツ送信装置に前記コンテンツデータを送信させる送信制御手段とを備える。
【０００９】
音質優先モードが設定されると、送信制御手段は、コンテンツデータを送信可能な最低のピクセルクロック周波数で前記コンテンツ送信装置に前記コンテンツデータを送信させる。映像データと音声データとを含むコンテンツデータを送信する場合、映像データのピクセルクロック周波数が大きいほど、音声データの音質を劣化させる。従って、ピクセルクロック周波数を最低値にすることによって、音声データの音質劣化を抑制することができる。
【００１０】
好ましくは、前記音声モード設定手段によって音質優先モードが設定された場合に、前記送信制御手段が、前記コンテンツデータを送信可能な最低のピクセルクロック周波数に対応する解像度で、前記コンテンツ送信装置に前記コンテンツデータを送信させる。
【００１１】
この場合、送信制御手段がコンテンツデータに含まれる映像データの解像度を低くさせることによって、ピクセルクロック周波数を低くすることができる。
【００１２】
好ましくは、前記コンテンツデータに含まれる音声データの各フォーマットに対応付けて、前記コンテンツデータを送信可能なピクセルクロック周波数が予め登録されている記憶部と、前記受信手段が受信したコンテンツデータに含まれる音声データのフォーマットを判別するフォーマット判別手段とをさらに備え、前記送信制御手段が、前記フォーマット判別手段で判別されたフォーマットに対応するピクセルクロック周波数のうち最低のピクセルクロック周波数を前記記憶部から読み出して、最低のピクセルクロック周波数に対応する解像度で、前記コンテンツ送信装置に前記コンテンツデータを送信させる。
【００１３】
この場合、音声データのフォーマットによってコンテンツデータを送信可能なピクセルクロックが異なる場合でも、送信されるコンテンツデータのフォーマット毎に送信可能な最低のピクセルクロック周波数および解像度を適宜選択し、コンテンツ送信装置にコンテンツデータを送信させることができる。
【００１４】
好ましくは、前記コンテンツ送信装置の機器情報に対応付けて解像度自動設定を許可するか否かをユーザ操作に応じて設定する設定手段をさらに備え、前記解像度自動設定が許可されている場合に、前記送信制御手段が、前記コンテンツデータを送信可能な最低のピクセルクロック周波数に対応する解像度で、前記コンテンツ送信装置に前記コンテンツデータを送信させる。
【００１５】
この場合、音質優先モードが設定されると、ユーザが希望する場合のみコンテンツデータの解像度を自動的に変更することができる。
【００１６】
好ましくは、前記送信制御手段が、前記コンテンツデータを送信可能な最低のピクセルクロック周波数に対応する解像度で、前記コンテンツ送信装置に前記コンテンツデータを送信させた結果、前記フォーマット判別手段が音声データのフォーマットが変更されたと判断した場合、前記設定手段が、解像度自動設定を自動的に不許可にする、または、解像度自動設定を不許可にするか否かをユーザに告知する。
【００１７】
コンテンツ送信装置がこのような解像度変更機能に適切に対応していない場合、送信制御手段が最低のピクセルクロック周波数でコンテンツ再生装置にコンテンツを送信させると、音声データのフォーマットが変わってしまうという問題が生じる。従って、このような場合に解像度自動設定を不許可に設定することにより、今後、音質優先モードが設定されても、音声データの音声フォーマットが変わってしまうことを防止できる。
【００１８】
好ましくは、前記コンテンツ送信装置が、上位ｍビットのみの映像データを含むコンテンツデータと、上位ｍビット及び下位ｎビットの映像データを含むコンテンツデータとのどちらを送信するかを切換可能であり、前記音声モード設定手段によって音質優先モードが設定された場合に、前記送信制御手段が、上位ｍビットのみの映像データを含むコンテンツデータを前記コンテンツ送信装置に送信させる。
【００１９】
下位ｎビットの映像データをコンテンツデータに含めないことにより、映像データのピクセルクロック周波数を低くすることができる。
【００２０】
好ましくは、前記コンテンツ送信装置および前記コンテンツ受信装置がＨＤＭＩ規格又はＤＶＩ規格に準拠しており、前記音声モード設定手段によって音質優先モードが設定された場合に、前記送信制御手段が、前記コンテンツ送信装置にＴＭＤＳクロック周波数を低下させる。
【００２１】
コンテンツデータのＴＭＤＳクロック周波数を低くすることにより、映像データのピクセルクロック周波数を低くすることができる。
【００２２】
本発明の別の好ましい実施形態によるコンテンツ受信装置は、映像データ及び音声データを含むコンテンツデータを送信するコンテンツ送信装置に接続可能であり、前記コンテンツデータを受信する受信手段と、音質優先モードを含む複数の音声モードの中からユーザ操作に応じて１つの音声モードを設定する音声モード設定手段と、前記コンテンツデータに含まれる音声データに、前記音声モード設定手段によって設定された音声モードに対応する音声処理を実行する音声処理手段と、前記コンテンツ送信装置によって取得される、ピクセルクロック周波数に関連する設定値を記憶する設定値記憶部と、前記音声モード設定手段によって音質優先モードが設定された場合に、前記コンテンツデータを送信可能な最低のピクセルクロック周波数に関連する設定値を前記設定値記憶部に登録する登録手段とを備える。
【発明の効果】
【００２３】
音質優先モードに設定された場合に、ピクセルクロック周波数を最低値にすることによって、音声データの音質劣化を抑制することができる。
【発明を実施するための最良の形態】
【００２４】
以下、本発明の好ましい実施形態によるＤＶＤプレーヤ（コンテンツ再生装置）、ＡＶアンプ（音声処理装置）およびディスプレイ装置ついて、図面を参照して具体的に説明するが、本発明はこれらの実施形態には限定されない。
【００２５】
図１は、ＤＶＤプレーヤ１０およびＡＶアンプ２０の構成を、図２は、ＡＶアンプ２０（図１と同一）およびディスプレイ装置３０の構成をそれぞれ示す概略ブロック図である。ＤＶＤプレーヤ１０、ＡＶアンプ２０及びディスプレイ装置３０は、ＨＤＭＩ（またはＤＶＩ、以下同様。）規格に準拠しており、ＨＤＭＩケーブルを介して相互に接続されている。本例において、コンテンツデータとは、映像データ（画像データの意味を含む、以下同様。）及び音声データの総称である。
【００２６】
［ＤＶＤプレーヤ１０の構成］
ＤＶＤプレーヤ１０は、再生部１１と、解像度変換部１２と、ＨＤＭＩ送信部１３と、システム制御部１４と、操作表示部１５と、メモリ１６と、コネクタ部１７とを有している。
【００２７】
再生部１１は、ＤＶＤディスク、ＳＡＣＤディスク、ＣＤディスク等（以下、単にディスクという。）に記録されている映像データをディスクから読み出して、デコードし、解像度変換部１２に供給する。また、再生部１１は、ディスクに記録されている音声データをディスクから読み出して、デコードし、ＨＤＭＩ送信部１３に供給する。再生部１１は、図示しない光ピックアップ、サーボ回路、ＭＰＥＧデコーダ、音声デコーダ等を含む。
【００２８】
解像度変換部１２は、再生部１１から供給された映像データの解像度を判別する。また、解像度変換部１２は、判別した映像データの解像度を、システム制御部１４からのコマンドにより、ユーザ操作によって設定された解像度に変換する。解像度変換部１２によって解像度が変換された映像データは、ＨＤＭＩ送信部１３に供給される。なお、解像度が変更されることによって映像データのピクセルクロック周波数が変更され、一般的に、解像度が低い方が、ピクセルクロック周波数が低くなる。
【００２９】
ＨＤＭＩ送信部１３は、解像度変換部１２から供給された映像データ、および、再生部１１から供給された音声データを、システム制御部１４からのコマンドにより、ＨＤＭＩ規格のデータ（以下、単にＨＤＭＩデータ）に変換する。ＨＤＭＩ送信部１３は、変換したＨＤＭＩデータを、コネクタ部１７を介して、ＡＶアンプ２０に送信する。
【００３０】
ＨＤＭＩ送信部１３は、ＨＤＭＩデータを送受信するＴＭＤＳライン（通常は複数存在するが図１、図２では簡単のため１本のラインのみを記載している）、および、接続の有無を判断するためのホットプラグラインを介して、ＡＶレシーバ２０のＨＤＭＩ受信部２１に接続される。
【００３１】
システム制御部１４は、再生部１１、解像度変換部１２、ＨＤＭＩ送信部１３、操作表示部１５、メモリ１６等を制御するものであり、例えば、マイクロコンピュータやＣＰＵである。システム制御部１４は、操作表示部１５からの操作入力または各部からの制御信号およびデータに基づいて各種処理を実行する。
【００３２】
システム制御部１４は、ＣＥＣラインを介してＡＶアンプ２０のシステム制御部２３に接続され、システム制御部２３とコマンドおよび／またはデータを送受信する。また、システム制御部１４は、ＤＤＣラインを介して、ＡＶアンプ２０のＰＲＯＭ２５に接続され、ＰＲＯＭ２５に記憶されたＥＤＩＤを取得し、ＥＤＩＤから解像度情報等を読み出す。
【００３３】
システム制御部１４は、操作表示部１５に、各種の初期設定を行うためのセットアップメニューを表示させる。セットアップメニューは、出力する映像データの解像度をユーザの操作によって設定する解像度設定画面を含む。解像度が設定されると（解像度が設定されるとは解像度をメモリに記憶することをいう。）、システム制御部１４は、解像度変換部１２に対して、設定された解像度に映像データを変換するよう指示する。
【００３４】
メモリ１６には、ＤＶＤプレーヤ１０がＡＶアンプ２０に出力可能な解像度の種類が予め記憶されている。システム制御部１４は、ＡＶアンプ２０のＰＲＯＭ２５に記憶されている解像度の種類を、ＤＤＣラインを介して読み出し、メモリ１６に予め記憶されている解像度の種類と照合する。システム制御部１４は、メモリ１６に予め記憶されている解像度の種類の中から、ＡＶアンプ２０のＰＲＯＭ２５から読み出したＥＤＩＤに含まれている解像度の種類と一致する解像度の種類を解像度選択画面に表示する。
【００３５】
また、ＡＶアンプ２０において音声モードが音質優先モードに設定されたためにＰＲＯＭ２５に記憶されているＥＤＩＤが変更されたとき、システム制御部１４は、ＥＤＩＤに含まれている解像度を読み出して、解像度変換部１２に対して、読み出した解像度に映像データを変換するよう指示する。このとき、システム制御部１４は、ユーザ操作によって解像度設定画面から選択された解像度をメモリ１６に一時的に記憶させておく。
【００３６】
また、ＡＶアンプ２０において音声モードが音質優先モードから他のモードに変更されたためにＰＲＯＭ２５に記憶されているＥＤＩＤが変更されたとき、システム制御部１４は、メモリ１６に記憶しておいたユーザ操作によって選択された解像度を読み出して解像度変換部１２に対して、読み出した解像度に映像データを変換するよう指示する。
【００３７】
［ＡＶアンプ２０の構成］
ＡＶアンプ２０は、ＨＤＭＩ受信部２１と、ＨＤＭＩ送信部２２と、システム制御部２３と、操作表示部２４と、メモリ（ＥＤＩＤ  ＰＲＯＭ、以下、ＰＲＯＭ）２５と、音声処理部２６と、コネクタ部２７Ａ、２７Ｂと、映像入力端子２７Ｃと、映像処理部２８と、電源回路２９とを有している。
【００３８】
ＨＤＭＩ受信部２１は、ＤＶＤプレーヤ１０から送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データ生成して、音声処理部２６に供給する。
【００３９】
映像処理部２８は、映像入力端子２７Ｃから入力されたアナログ映像信号に対して所定の処理（例えば、アナログ−デジタル変換処理、解像度変換処理等）を実行し、ＨＤＭＩ送信部２２に供給する。映像処理部２８は、電源回路２９から電源電圧が供給されることによって動作し、後述する音質優先モードが選択されると、システム制御部２３によって電源電圧の供給がオフ状態にされ、動作を停止する。
【００４０】
ＨＤＭＩ送信部２２は、ＨＤＭＩ受信部２１から供給された映像データ、および、必要に応じて音声処理部２６から供給された音声データ、映像処理部２８から供給された映像データを、ＨＤＭＩデータに変換して、コネクタ部２７Ｂを介して、ディスプレイ装置３０に送信する。ＨＤＭＩ送信部２２は、ＴＭＤＳラインおよびホットプラグを介して、ディスプレイ装置３０のＨＤＭＩ受信部３１に接続されている。
【００４１】
音声処理部２６は、ＨＤＭＩ受信部２１から供給された音声データに対して、例えば、信号処理、遅延処理、イコライザ処理、音量調整処理、増幅処理、Ｄ／Ａ変換等の音声処理を実行し、外部に接続されたスピーカー６０に音声信号を供給する。また、必要に応じて、音声処理部２６は、音声データをＨＤＭＩ送信部２２に供給する。
【００４２】
ＡＶアンプ２０には複数の音声モード（リスニングモード）が設けられており、ユーザ操作によって１つの音声モードが選択可能になっている。音声処理部２６は、選択された音声モードに対して予め設定されている音声処理を音声データに対して実行する。
【００４３】
音声モードの１つとして音質優先モード（ピュアオーディオモードともいう。）が設けられている。音質優先モードは、映像処理部２８に供給される電源電圧をオフ状態にすることにより、映像処理部２８の処理を停止させる。これにより、映像処理部２８の処理に起因する音声データの音質低下（例えば、Ｓ／Ｎ比の悪化）を防止することができる。
【００４４】
システム制御部２３は、ＨＤＭＩ受信部２１、ＨＤＭＩ送信部２２、操作表示部２４、ＰＲＯＭ２５、音声処理部２６、映像処理部２８及び電源回路２９等を制御するものであり、例えば、マイクロコンピュータやＣＰＵ等である。システム制御部２３は、操作表示部２４からの操作入力または各部からの制御信号およびデータに基づいて各種処理を実行する。
【００４５】
システム制御部２３は、ユーザ操作によって音声モードが選択されたとき、選択された音声モードに設定し（音声モードを設定するとは音声モードをメモリ２３ａに記憶することをいう。）、設定された音声モードに基づいて音声データに音声処理を実行するように音声処理部２６に指示する。また、システム制御部２３は、音声モード音質優先モードが設定されたとき、映像処理部２８への電源電圧の供給を停止し、映像処理部２８の動作を停止するように、電源回路２９及び映像処理部２８を制御する。
【００４６】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。また、システム制御部２３は、ＤＤＣラインを介して、ディスプレイ装置３０のＰＲＯＭ３４に接続され、ＰＲＯＭ３４からディスプレイ装置３０で表示可能な解像度の種類を含むＥＤＩＤを読み出す。
【００４７】
システム制御部２３には、メモリ２３ａが内蔵（または接続）されており、メモリ２３ａ内にＡＶアンプ２０が出力する解像度の種類が予め記憶されている（また、この解像度の種類は、ＲＯＭ２３ａではなく、ＰＲＯＭ２５内に記憶されていてもよい）。通常、ＲＯＭ２３ａには、ＨＤＭＩ規格に対応する複数の解像度の種類が記憶されている。
【００４８】
ＰＲＯＭ２５は、ＤＤＣラインを介してＤＶＤプレーヤ１０のシステム制御部１４に接続されている。ＰＲＯＭ２５にはシステム制御部２３によって解像度の種類を含むＥＤＩＤが登録され、登録されたＥＤＩＤは、ＤＶＤプレーヤ１０のシステム制御部１４によってＤＤＣラインを介して読み出される。
【００４９】
音声モードとして音質優先モード以外が設定される場合、システム制御部２３は、ＲＯＭ２３ａに予め記憶されている解像度の種類の中で、ディスプレイ装置３０のＰＲＯＭ３４から読み出したＥＤＩＤに含まれる解像度の種類と一致する解像度の種類をＰＲＯＭ２５に登録する。つまり、ＡＶアンプ２０およびディスプレイ装置３０が共通して記憶する解像度の種類がＰＲＯＭ２５に登録される。なお、これに限定されず、システム制御部２３は、ＲＯＭ２３ａに記憶されている解像度の種類を無視して、ディスプレイ装置３０のＰＲＯＭ３４から読み出した解像度の種類を全てＰＲＯＭ２５に登録してもよい。つまり、ＡＶアンプ２０に記憶された解像度の種類に関係なく、ディスプレイ装置３０に記憶された解像度の種類がＰＲＯＭ２５に登録してもよい。
【００５０】
音声モードとして音質優先モードが設定される場合、システム制御部２３は、現在ＤＶＤプレーヤ１０から受信している音声データのフォーマットを判別し、そのフォーマットでＨＤＭＩデータを送信可能な最低のピクセルクロック周波数を判別し、そのピクセルクロック周波数に対応する解像度をＰＲＯＭ２５に登録する。つまり、システム制御部２３は、ＤＶＤプレーヤ１０に現在の音声データのフォーマットで送信可能な最低のピクセルクロック周波数でＨＤＭＩデータを送信させる。ＨＤＭＩデータのピクセルクロック周波数を最低にすることにより、ＨＤＭＩデータに含まれる音声データの音質を向上することができる。ＨＤＭＩデータにおいては、映像データのピクセルクロック周波数が小さいほど、音声データの音質を向上できるからである。
【００５１】
詳細には、メモリ２３ａには、図３に示すピクセルクロックテーブルが格納されている。ピクセルクロックテーブルは、音声データのフォーマット（及び必要に応じてサンプリング周波数）に対応付けて、映像データの各ピクセルクロック周波数（括弧内はピクセルクロック周波数に対応する解像度）を取り得るか否かの情報が予め登録されている。「○」は取りうることを、「×」は取りえないことを示す。システム制御部２３は、現在受信しているＨＤＭＩデータに含まれる音声データのフォーマット及びサンプリング周波数と、ピクセルクロックテーブルとを参照することによって、取り得る最低のピクセルクロック周波数およびそれに対応する解像度を判別する。
【００５２】
例えば、音声データがＰＣＭ８ｃｈ（４８ｋＨｚ）であればＰＲＯＭ２５にはピクセルクロック周波数２５．２ＭＨｚに対応する解像度６４０×４８０ｐ（ＶＧＡ）が登録され、ＤＶＤプレーヤ１０に当該解像度の映像データを含むＨＤＭＩデータを送信させる。また、ＰＣＭ８ｃｈ（８８．２ｋＨｚ）であればＰＲＯＭ２５にはピクセルクロック周波数２７ＭＨｚに対応する解像度７２０×４８０ｐが登録され、ＤＶＤプレーヤ１０に当該解像度の映像データを含むＨＤＭＩデータを送信させる。
【００５３】
また、システム制御部２３は、接続されるＤＶＤプレーヤ１０毎に、音質優先モードに設定された時に上記のような解像度の自動設定を許可するか否かをユーザ操作に基づいて設定する。詳細には、メモリ２３ａには図４に示す解像度設定テーブルが格納されている。解像度設定テーブルは、接続されるＤＶＤプレーヤ１０の機器情報に対応付けて、解像度の自動設定を許可するか否かの情報がユーザ操作に基づいて登録される。すなわち、「○」は解像度自動設定許可を示し、「×」は自動設定不可を示す。音質優先モードに変更されたときに、システム制御部２３は、現在接続されているＤＶＤプレーヤ１０の機器情報に対して解像度自動設定が許可されているかを判断し、許可されている場合のみ上記のように最低のピクセルクロック周波数に対応する解像度をＰＲＯＭ２５に登録する。
【００５４】
［ディスプレイ装置の構成］
ディスプレイ装置３０は、ＨＤＭＩ受信部３１と、表示部３２と、システム制御部３３と、メモリ（ＥＤＩＤ  ＰＲＯＭ、以下、ＰＲＯＭ）３４と、操作部３５と、音声処理部３６と、スピーカー３７と、コネクタ部３８とを有する。
【００５５】
ＨＤＭＩ受信部３１は、ＡＶアンプ２０のＨＤＭＩ送信部２２から送信されたＨＤＭＩデータを受信して、受信したＨＤＭＩデータから元の映像データを生成し、表示部３２に供給する。また、ＨＤＭＩ受信部３１は、ＨＤＭＩデータから元の音声データを生成して、音声処理部３６に供給する。
【００５６】
表示部３２は、ＨＤＭＩ受信部３１から映像データが供給され、当該映像データに基づいて映像を表示するものであり、例えば、ＬＣＤまたはＰＤＰ等である。
【００５７】
音声処理部３６は、ＨＤＭＩ受信部３１から供給された音声データを、信号処理、増幅処理、Ｄ／Ａ変換等の処理を実行し、スピーカー３７に供給する。
【００５８】
システム制御部３３は、ＨＤＭＩ受信部３１、表示部３２、ＰＲＯＭ３４、音声処理部３６等を制御するものであり、例えば、マイクロコンピュータやＣＰＵ等である。システム制御部３３は、操作部３５からの操作入力または各部からの制御信号およびデータに基づいて各種処理を実行する。
【００５９】
ＰＲＯＭ３４には、表示部３２で表示可能な解像度の種類を含むＥＤＩＤが予め記憶されている。このＥＤＩＤは、ＤＤＣラインを介して、ＡＶアンプ２３のシステム制御部２３によって読み出される。
【００６０】
［動作］
図５は、ユーザ操作によって音声モードの設定指示が入力された場合におけるシステム制御部２３の処理を示すフローチャートである。システム制御部２３は、ユーザ操作によって音声モード設定指示が入力されると、音質優先モードへの設定指示であるか否かを判断する（Ｓ１）。音質優先モードへの設定指示である場合（Ｓ１でＹＥＳ）、システム制御部２３は、解像度自動設定が許可されているか否かを、現在接続されているＤＶＤプレーヤ１０の機器情報を元に、図４の解像度設定テーブルを参照して判断する（Ｓ２）。なお、システム制御部２３は、機器情報を、ＤＶＤプレーヤ１０との接続時にＤＶＤプレーヤ１０から取得してメモリに保存している。
【００６１】
解像度自動設定が許可されていない場合には（Ｓ２でＮＯ）、Ｓ９に進む。一方、解像度自動設定が許可されている場合には（Ｓ２でＹＥＳ）、システム制御部２３は、現在ＤＶＤプレーヤ１０から受信しているＨＤＭＩデータに含まれる音声データのフォーマット及びサンプリング周波数を判別する（Ｓ３）。すなわち、音声処理部２６が、ＨＤＭＩ受信部２１から受信した音声データをデコードすることにより、音声データのヘッダ等に含まれるフォーマット情報及びサンプリング周波数情報を読み出して、システム制御部２３に供給する。システム制御部２３は、供給されたフォーマット情報及びサンプリング周波数情報を元に、音声データのフォーマット及びサンプリング周波数を判別する。
【００６２】
続いて、システム制御部２３は、判別したフォーマット及びサンプリング周波数に対してＨＤＭＩデータを送信可能なピクセルクロック周波数うち、最低のピクセルクロック周波数を図３のピクセルクロックテーブルから読み出す（Ｓ４）。例えば、ＰＣＭ８ｃｈ（４８ｋＨｚ）である場合には、ピクセルクロック周波数として２５．２ＭＨｚが読み出され、ＰＣＭ８ｃｈ（８８．２ｋＨｚ）である場合には、ピクセルクロック周波数として２７ＭＨｚが読み出される。
【００６３】
続いて、システム制御部２３は、ＤＶＤプレーヤ１０に出力するホットプラグ信号を、ハイレベルからローレベルに反転させる（Ｓ５）。これにより、ＡＶアンプ２０がＤＶＤプレーヤ１０と接続状態でないこと、又は、ＡＶアンプ２０がアクティブでないことをＤＶＤプレーヤ１０に認識させる。
【００６４】
続いて、システム制御部２３は、抽出したピクセルクロック周波数に対応する解像度を抽出し、抽出した解像度情報を含むＥＤＩＤをＰＲＯＭ２５に登録する（Ｓ６）。例えば、システム制御部２３は、ピクセルクロック周波数が２５．２ＭＨｚである場合には、解像度６４０×４８０ｐをＰＲＯＭ２５に登録し、ピクセルクロック周波数が２７ＭＨｚである場合には、解像度７２０×４８０ｐをＰＲＯＭ２５に登録する。
【００６５】
続いて、システム制御部２３は、ＤＶＤプレーヤ１０に出力するホットプラグ信号を、ローレベルからハイレベルに反転させる（Ｓ７）。これにより、ＡＶアンプ２０がＤＶＤプレーヤ１０と接続状態になったことをＤＶＤプレーヤ１０に認識させ、ＤＶＤプレーヤ１０にＥＤＩＤを取得させる。
【００６６】
図６に示すように、ＤＶＤプレーヤ１０のシステム制御部１４は、ＡＶアンプ２０からのホットプラグ信号がローベルからハイレベルに反転すると（Ｓ２１でＹＥＳ）と、ＡＶアンプ２０のＰＲＯＭ２５からＥＤＩＤを取得して、ＥＤＩＤに含まれる解像度情報を読み出す（Ｓ２２）。ここで、システム制御部１４は、ＥＤＩＤの中に解像度情報が１つしか含まれないかを判断する（Ｓ２３）。上記のように、音声モードが音質優先モードに変更されたことにより、ＰＲＯＭ２５内に解像度情報が登録される際には最低のピクセルクロック周波数に対応する１つの解像度情報が登録されている。
【００６７】
ここでは、ＥＤＩＤには最低のピクセルクロック周波数に対応する解像度が１つしか含まれないので（Ｓ２３でＹＥＳ）、システム制御部１４は、ＥＤＩＤから読み出した解像度に設定し、設定した解像度に映像データを変換するように解像度変換部１２に指示する（Ｓ２４）。例えば、読み出した解像度が６４０×４８０ｐであれば、システム制御部２３は、映像データを６４０×４８０ｐに変換するように解像度変換部１２に指示する。
【００６８】
その結果、ＤＶＤプレーヤ１０は、現在再生している音声データのフォーマット（及びサンプリング周波数）に対してＨＤＭＩデータを送信し得るピクセルクロック周波数の中で、最低のピクセルクロック周波数に対応する解像度に映像データを変換し、当該映像データと音声データとを含むＨＤＭＩデータをＡＶアンプ２０に送信する。従って、ＨＤＭＩデータのピクセルクロック周波数を最低にすることができるので、ＨＤＭＩデータに含まれる音声データのピクセルクロックの影響による音質低下を最小限に抑制することができる。
【００６９】
最後に、システム制御部１４は、ユーザ操作によって選択され、設定されていた解像度情報をメモリに保存しておく（Ｓ２５）。
【００７０】
図５に戻って、ＡＶアンプ２０のシステム制御部２３は、解像度を変更した結果、ＤＶＤプレーヤ１０から受信したＨＤＭＩデータに含まれる音声データのフォーマット（及び／又はサンプリング周波数）が変更になったか否かを判断する（Ｓ８）。音声データのフォーマット（及び／又はサンプリング周波数）が変更になっていない場合は（Ｓ８でＮＯ）、Ｓ９に進み、システム制御部２３は、映像処理部２８へ供給される電源電圧をオフ状態にするように制御し、映像処理部２８の動作を停止させる（Ｓ９）。
【００７１】
ここで、ＤＶＤプレーヤ１０の中には、ホットプラグ信号がハイレベルであることを検出し、ＥＤＩＤを取得して解像度設定を変更すると、ＡＶアンプ２０に送信する音声データのフォーマット（及びサンプリング周波数）を変更（初期化）してしまう機種が存在する。このようなＤＶＤプレーヤ１０に対しては、ＡＶアンプ２０の音声モード変更に応答してＥＤＩＤを再取得させ解像度設定を自動的に変更させることは好ましくない。
【００７２】
そこで、システム制御部２３は、音声データのフォーマット（及び／又はサンプリング周波数）が変更になったと判断した場合（Ｓ８でＹＥＳ）、ＤＶＤプレーヤ１０が音声モードの変更に応答する解像度自動設定に適切に対応していない旨の告知を操作表示部２４に表示させ（Ｓ１０）、その後Ｓ９に進む。
【００７３】
例えば、図７（ａ）に示すように、音声モード変更に応答する解像度自動設定に適切に対応していない旨の告知を表示すると共に、解像度設定テーブルにおける当該ＤＶＤプレーヤの解像度自動設定を不許可に変更するか否かをユーザ操作によって選択させる。ユーザ操作によって「ＹＥＳ」が選択された場合には、システム制御部２３は、解像度設定テーブルにおける当該ＤＶＤプレーヤの解像度自動設定を不許可「×」に変更する。これにより、次に、ＡＶアンプ２０の音声モードが音質優先モードに変更された場合には、図５のＳ２でＮＯと判断されるので、解像度は自動的に変更されないようになる。なお、図７（ａ）の告知を表示すると共に、自動的にシステム制御部２３が解像度設定テーブルにおける当該ＤＶＤプレーヤの解像度自動設定を不許可「×」に変更してもよい。
【００７４】
また、図７（ｂ）に示すように、解像度変更に伴って、音声フォーマットが変更になったので、音声モードを元に戻すようにユーザに告知してもよい。
【００７５】
次に、図５に示すように、音声モードが音質優先モードから他の音声モードに変更された場合（Ｓ１でＮＯを経由して、Ｓ１１でＹＥＳ）、システム制御部２３は、ＤＶＤプレーヤ１０に出力するホットプラグ信号を、ハイレベルからローレベルに反転させる（Ｓ１２）。そして、システム制御部２３は、ディスプレイ装置で処理可能な解像度とＡＶアンプで処理可能な解像度とに共通する複数の解像度を抽出し、これらの複数の解像度を含むＥＤＩＤをＰＲＯＭ２５に登録する（Ｓ１３）。あるいは、ディスプレイ装置で処理可能な解像度の全てを含むＥＤＩＤをＰＲＯＭ２５に登録する。
【００７６】
続いて、システム制御部２３は、ＤＶＤプレーヤ１０に出力するホットプラグ信号を、ローレベルからハイレベルに反転させる（Ｓ１４）。その後、システム制御部２３は、映像処理部２８へ供給される電源電圧をオン状態にするように制御し、映像処理部２８を動作状態にする（Ｓ１５）。
【００７７】
図６に示すように、ＤＶＤプレーヤ１０のシステム制御部１４は、ホットプラグ信号がローレベルからハイレベルに反転したことを検出すると（Ｓ２１でＹＥＳ）、ＡＶアンプ２０のＰＲＯＭ２５からＥＤＩＤを取得して、解像度情報を読み出す（Ｓ２２）。ＥＤＩＤには複数の解像度情報が含まれているので（Ｓ２３でＮＯ）、システム制御部２３は、Ｓ２５の処理によってユーザ操作によって選択されている解像度がメモリに保存されているか否かを判断する（Ｓ２６）。
【００７８】
ユーザ操作によって選択されている解像度がメモリに保存されている場合には（Ｓ２６でＹＥＳ）、システム制御部２３は、ユーザ操作によって選択されている解像度に再び設定し、当該解像度に映像データを変換するように解像度設定部１２に指示する（Ｓ２７）。従って、映像モードが音質優先モードに設定されたことによりＤＶＤプレーヤ１０で自動的に解像度が変更された場合であっても、再度映像モードが音質優先モードから他の音声モードに変更されたときに、元々設定されていた解像度に自動的に戻すことができる。
【００７９】
一方、ユーザ操作によって選択されている解像度がメモリに保存されていない場合には（Ｓ２６でＮＯ）、ＥＤＩＤには推奨の解像度が含まれているので、システム制御部１４は、推奨の解像度に設定し、当該解像度に映像データを変換するように解像度設定部１２に指示する（Ｓ２８）。
【００８０】
次に、図５に示すように、音声モードが音質優先モード以外の音声モードから、音質優先モード以外の音声モードに変更された場合（Ｓ１でＮＯを経由して、Ｓ１１でＮＯ）、システム制御部２３は、音声モードを変更し（Ｓ１６）、処理を終了する。
【００８１】
以上のように、本実施形態によると、音声モードが音質優先モードに変更された場合に、ＤＶＤプレーヤ１０に設定される解像度を、音声データのフォーマットに対して取り得る最低のピクセルクロック周波数に対応する解像度に自動的に設定するので、ピクセルクロックに起因する音質劣化を抑制することができる。
【００８２】
［第２実施形態］
ＨＤＭＩ規格１．３では、従来のＲＧＢ各色ｍビット（上位ｍビット）に加えてDeep Colorのｎビット（下位ｎビット）が追加されたことによりＲＧＢ各色最大ｍ＋ｎビット、すなわち３色合計で３×（ｍ＋ｎ）ビットで映像データを送受信することができる。ＨＤＭＩ規格１．３では、代表的には、ｍ＝８であり、ｎは２、４、又は８のいずれかである。ＰＲＯＭ２５に登録されるＥＤＩＤにはDeep Colorフラグが含まれており、Deep
Colorフラグがオンの場合にＤＶＤプレーヤ１０はDeep
Colorのｎビットを含む各色ｍ＋ｎビットのＨＤＭＩデータを出力し、Deep Colorフラグがオフの場合にＤＶＤプレーヤ１０はDeep Colorのｎビットを含まない各色ｍビットのＨＤＭＩデータを出力する。
【００８３】
ＡＶアンプ２０のシステム制御部２３は、音声モードが音質優先モードに設定される場合に、Deep ColorフラグをオフにするようにＥＤＩＤを変更する。これにより、ＤＶＤプレーヤ１０はDeep Colorのｎビットを含まない各色ｍビットのＨＤＭＩデータを出力する。ＨＤＭＩデータにDeep Colorのｎビットを含まないことにより、ＨＤＭＩデータのピクセルクロック周波数を低くすることができるので、ピクセルクロック周波数が高いことに起因する音質劣化を抑制することができる。
【００８４】
本例の動作を図８、図９のフローチャートを参照し説明する。図８に示すように、ＡＶアンプ２０のシステム制御部２３は、音声モードが音質優先モードに変更されると（Ｓ３１でＹＥＳ）、ＤＶＤプレーヤ１０に出力するホットプラグ信号をハイレベルからローレベルに反転させる（Ｓ３２）。システム制御部２３は、Deep ColorフラグをオフにするようにＥＤＩＤを変更し（Ｓ３３）、ＤＶＤプレーヤ１０に出力するホットプラグ信号をローレベルからハイレベルに反転させる（Ｓ３４）。そして、システム制御部２３は、映像処理部２８へ供給される電源電圧をオフ状態にするように制御し、映像処理部２８の動作を停止させる（Ｓ３５）。
【００８５】
図９に示すように、ＤＶＤプレーヤ１０のシステム制御部１４は、ホットプラグ信号がローレベルからハイレベルに反転したことを検出すると（Ｓ５１でＹＥＳ）、ＰＲＯＭ２５からＥＤＩＤを取得して、Deep Colorフラグを読み出す（Ｓ５２）。そして、システム制御部１４は、Deep Colorフラグがオンか否かを判断する（Ｓ５３）。ここでは、Deep Colorフラグがオフであるので（Ｓ５３でＮＯ）、システム制御部２３はDeep Colorを無効に設定し、ＤＶＤプレーヤ１０はDeep Colorのｎビットを含まない各色ｍビットのＨＤＭＩデータを出力する。その結果、ＨＤＭＩデータの映像データを高品質にはできないものの、音声データの音質劣化を抑制することができる。
【００８６】
図８に示すように、音声モードが音質優先モードから他の音声モードに変更された場合（Ｓ３１でＮＯを経由して、Ｓ３６でＹＥＳ）、システム制御部２３は、ＤＶＤプレーヤ１０に出力するホットプラグ信号をハイレベルからローレベルに反転させる（Ｓ３７）。システム制御部２３は、Deep ColorフラグをオンにするようにＥＤＩＤを変更し（Ｓ３８）、ＤＶＤプレーヤ１０に出力するホットプラグ信号をハイレベルからローレベルに反転させる（Ｓ３９）。そして、システム制御部２３は、映像処理部２８へ供給される電源電圧をオン状態にするように制御し、映像処理部２８の動作させる（Ｓ４０）。
【００８７】
図９に示すように、ＤＶＤプレーヤ１０のシステム制御部２３は、ホットプラグ信号がローレベルからハイレベルに反転したことを検出すると（Ｓ５１でＹＥＳ）、ＰＲＯＭ２５からＥＤＩＤを取得して、Deep Colorフラグを読み出す（Ｓ５２）。そして、システム制御部１４は、Deep Colorフラグがオンか否かを判断する（Ｓ５３）。ここでは、Deep Colorフラグがオンであるので（Ｓ５３でＹＥＳ）、システム制御部２３はDeep Colorを有効に設定し、ＤＶＤプレーヤ１０はDeep Colorのｎビットを含む各色ｍ＋ｎビットのＨＤＭＩデータを出力する。
【００８８】
［第３実施形態］
ＡＶアンプ２０のシステム制御部２３は、音声モードが音質優先モードに設定された場合に、ＴＭＤＳクロック周波数を最低にするようにＥＤＩＤを変更する。これにより、ＤＶＤプレーヤ１０はＴＭＤＳクロック周波数を最低に設定してＨＤＭＩデータを出力する。その結果、ＴＭＤＳクロック周波数を低くすることにより、ＨＤＭＩデータのピクセルクロック周波数を低くすることができるので、ピクセルクロック周波数が高いことに起因する音声データの音質劣化を抑制することができる。
【００８９】
本例の動作を図１０、図１１のフローチャートを参照し説明する。図１０に示すように、ＡＶアンプ２０のシステム制御部２３は、音声モードが音質優先モードに変更されると（Ｓ６１でＹＥＳ）、ＤＶＤプレーヤ１０に出力するホットプラグ信号をハイレベルからローレベルに反転させる（Ｓ６２）。システム制御部２３は、最大ＴＭＤＳクロック周波数を最低値に設定するようにＥＤＩＤを変更し（Ｓ６３）、ＤＶＤプレーヤ１０に出力するホットプラグ信号をローレベルからハイレベルに反転させる（Ｓ６４）。そして、システム制御部２３は、映像処理部２８へ供給される電源電圧をオフ状態にするように制御し、映像処理部２８の動作を停止させる（Ｓ６５）。
【００９０】
図１１に示すように、ＤＶＤプレーヤ１０のシステム制御部２３は、ホットプラグ信号がローレベルからハイレベルに反転したことを検出すると（Ｓ８１でＹＥＳ）、ＰＲＯＭ２５からＥＤＩＤを取得して、最大ＴＭＤＳクロック周波数を読み出す（Ｓ８２）。そして、システム制御部１４は、読み出した最大ＴＭＤＳクロック周波数に設定し、ＤＶＤプレーヤ１０は読み出した最大ＴＭＤＳクロック周波数のＨＤＭＩデータを出力する。その結果、ＨＤＭＩデータの映像データを高品質にはできないものの、音声データの音質劣化を抑制することができる。
【００９１】
図１０に示すように、音声モードが音質優先モードから他の音声モードに変更された場合（Ｓ６１でＮＯを経由して、Ｓ６６でＹＥＳ）、システム制御部２３は、ＤＶＤプレーヤ１０に出力するホットプラグ信号をハイレベルからローレベルに反転させる（Ｓ６７）。システム制御部２３は、最大ＴＭＤＳクロック周波数を元の値に変更し（Ｓ６８）、ＤＶＤプレーヤ１０に出力するホットプラグ信号をハイレベルからローレベルに反転させる（Ｓ６９）。そして、システム制御部２３は、映像処理部２８へ供給される電源電圧をオン状態にするように制御し、映像処理部２８の動作させる（Ｓ７０）。
【００９２】
図１１に示すように、ＤＶＤプレーヤ１０のシステム制御部２３は、ホットプラグ信号がローレベルからハイレベルに反転したことを検出すると（Ｓ８１でＹＥＳ）、ＰＲＯＭ２５からＥＤＩＤを取得して、最大ＴＭＤＳクロック周波数を読み出す（Ｓ８２）。そして、システム制御部１４は、読み出した最大ＴＭＤＳクロック周波数に設定し、ＤＶＤプレーヤ１０は読み出した最大ＴＭＤＳクロック周波数のＨＤＭＩデータを出力する。
【００９３】
以上、本発明の好ましい実施形態を説明したが、本発明はこれらの実施形態には限定されない。ＤＶＤプレーヤが送信するＨＤＭＩデータのピクセルクロック周波数を低くするものであれば、ＡＶアンプは上記各実施形態以外のいずれの設定値を変更するものでもよい。また、ＡＶアンプの代わりにディスプレイ装置に音質優先モードを含む音声モードが設けられ、音質優先モードが設定された場合にＤＶＤプレーヤが送信するＨＤＭＩデータのピクセルクロック周波数を最低値に制御してもよい。また、ＤＶＤプレーヤ、ＡＶアンプ、ディスプレイ装置の上記動作をコンピュータに実行させるためのプログラムおよびこれを記録した記録媒体という形態で提供されてもよい。
【産業上の利用可能性】
【００９４】
本発明は、ＤＶＤプレーヤ、ＡＶアンプおよびディスプレイ装置等に好適に採用され得る。
【図面の簡単な説明】
【００９５】
【図１】本発明の好ましい実施形態によるＤＶＤプレーヤ１０およびＡＶアンプ２０の構成を示すブロック図である。
【図２】本発明の好ましい実施形態によるＡＶアンプ２０およびディスプレイ装置の構成を示すブロック図である。
【図３】ピクセルクロックテーブルを示す図である。
【図４】解像度設定テーブルを示す図である。
【図５】ＡＶアンプ２０の動作を説明するフローチャートである。
【図６】ＤＶＤプレーヤ１０の動作を説明するフローチャートである。
【図７】解像度自動設定に対応して以内旨の告知を示す図である。
【図８】第２実施形態のＡＶアンプ２０の動作を説明するフローチャートである。
【図９】第２実施形態のＤＶＤプレーヤ１０の動作を説明するフローチャートである。
【図１０】第３実施形態のＡＶアンプ２０の動作を説明するフローチャートである。
【図１１】第３実施形態のＤＶＤプレーヤ１０の動作を説明するフローチャートである。
【符号の説明】
【００９６】
１０            ＤＶＤプレーヤ
２０            ＡＶアンプ
２１            ＨＤＭＩ受信部
２２            ＨＤＭＩ送信部
２３            システム制御部
２３ａ          ＲＯＭ
２５            ＰＲＯＭ
２６            音声処理部
２８            映像処理部
３０            ディスプレイ装置
【図１】
2009260441.tif 000003
【図２】
2009260441.tif 000004
【図３】
2009260441.tif 000005
【図４】
2009260441.tif 000006
【図５】
2009260441.tif 000007
【図６】
2009260441.tif 000008
【図７】
2009260441.tif 000009
【図８】
2009260441.tif 000010
【図９】
2009260441.tif 000011
【図１０】
2009260441.tif 000012
【図１１】
2009260441.tif 000013